(57)【特許請求の範囲】
【請求項１】
母線に接続された電力用コンデンサＳＣと分路リアクトルＳｈＲの調相要素を、調相毎に予め設定された投入時刻および開放時刻に従って投入および開放のスケジュール制御を行っている調相制御装置において、
プラス側設定値はＳＣ容量、マイナス側設定値はＳｈＲ容量を表す調相容量を調相ナンバ毎に設定する手段と、
プラス側設定値は母線接続ＳＣ総和容量、マイナス側設定値は母線接続ＳｈＲ総和容量、０は調相全開放を表す母線接続調相総和容量（調相和制御容量）を設定する手段と、
設定された調相和制御容量に合致する調相容量の組合せを調相和制御容量がプラス側設定値であればＳＣ容量階級別に調相ナンバーマスクデータとその投入制御台数で制御情報を表し全ＳＣ容量階級分のデータをもって一つの制御情報グループとした全制御情報グループを、また調相和制御容量がマイナス側設定値であればＳｈＲ容量階級別に調相ナンバマスクデータとその投入制御台数で制御情報を表し全ＳｈＲ容量階級分のデータをもって一つの制御情報グループとした全制御情報グループを予め検出しておく手段と、
複数の調相が同一併用母線の下に調相ＣＢおよび調相ＬＳによって接続される系統にあって全ての調相要素を自動制御対象とする場合に、調相和制御容量制御の実行指令により母線接続調相総和容量現在値と調相和制御指令容量を比較して差異がある場合にＳＣ投入側制御またはＳＣ開放側制御またはＳｈＲ投入側制御またはＳｈＲ開放側制御を検出し、調相和制御容量制御使用可グループナンバが複数ある場合は前回制御グループナンバを優先し、前回制御グループナンバが無ければ前回制御ナンバから次順位のグループナンバ（最下位順位ナンバの次は最上位順位ナンバ）に順次移行して調相和制御容量制御グループナンバを一つ選定する処理を行って、全制御情報グループの中から現在の調相接続状況に応じた最適な組合せと調相を自動選択する手段と、
を備えたことを特徴とする調相設備の調相制御装置。
【請求項２】
母線に接続された電力用コンデンサＳＣと分路リアクトルＳｈＲの調相要素を、調相毎に予め設定された投入時刻および開放時刻に従って投入および開放のスケジュール制御を行っている調相制御装置において、
プラス側設定値はＳＣ容量、マイナス側設定値はＳｈＲ容量を表す調相容量を調相ナンバー毎に設定する手段と、
プラス側設定値は母線接続ＳＣ総和容量、マイナス側設定値は母線接続ＳｈＲ総和容量、０は調相全開放を表す母線接続調相総和容量（調相和制御容量）を設定する手段と、
設定された調相和制御容量に合致する調相容量の組合せを調相和制御容量がプラス側設定値であればＳＣ容量階級別に調相ナンバマスクデータとその投入制御台数で制御情報を表し全ＳＣ容量階級分のデータをもって一つの制御情報グループとした全制御情報グループを、また調相和制御容量がマイナス側設定値であればＳｈＲ容量階級別に調相ナンバーマスクデータとその投入制御台数で制御情報を表し全ＳｈＲ容量階級分のデータをもって一つの制御情報グループとした全制御情報グループを予め検出しておく手段と、
複数の調相が同一母線側ＣＢの下に調相ＣＢまたは調相ＬＳによって接続されＣＢとＬＳが混在する系統にあって全ての調相要素を自動制御対象とする場合に、調相投入操作はＬＳ側調相を優先（ＣＢ側調相は非優先でＬＳ側調相が入りとなった後に非優先は解除）して投入する投入優先制御対象調相と、開放操作ではＣＢ側調相を優先（ＬＳ側調相は非優先でＣＢ側調相が入りとなった後に非優先は解除）して開放する開放優先制御対象調相を判定する手段と、
調相和制御容量制御の実行指令により母線接続調相総和容量現在値と調相和制御指令容量を比較して差異がある場合にＳＣ投入側制御またはＳＣ開放側制御またはＳｈＲ投入側制御またはＳｈＲ開放側制御を検出し、調相和制御容量制御使用可グループナンバが複数ある場合は前回制御グループナンバを優先し、前回制御グループナンバが無ければ前回制御ナンバから次順位のグループナンバ（最下位順位ナンバの次は最上位順位ナンバ）に順次移行して調相和制御容量制御グループナンバを一つ選定する処理を行って、全制御情報グループの中から現在の調相接続状況に応じた最適な組合せと調相を自動選択する手段と、
を備えたことを特徴とする調相設備の調相制御装置。
【請求項３】
スケジュール制御への復帰には、スケジュール制御の実行指令により母線接続調相現在状況と予め設定されている調相スケジュールを比較して差異がある調相は、スケジュールで開放に組まれている開放調相を先に自動開放し、投入に組まれている投入調相を自動投入の操作を行う手段を備えたことを特徴とする請求項１または２に記載の調相設備の調相制御装置。
【発明の詳細な説明】
【技術分野】
【０００１】
本発明は、電力用コンデンサと分路リアクトルを電力系統母線に投入／開放して母線の無効電力を調整する調相設備に係り、特に任意の時刻／調相状態から指令された調相状態に自動的に調相するための調相制御装置に関する。
【背景技術】
【０００２】
調相設備は、図２０に示すように、甲乙母線から断路器（ＬＳ）および遮断器（ＣＢ）を介して電力用コンデンサまたは分路リアクトルを設け、コンピュータ構成の調相制御装置に設定されるスケジュールに従って母線に電力用コンデンサ（ＳＣ）またはシャントリアクトル（ＳｈＲ）を投入／開放制御し、無効電力の調整などが行われる。
【０００３】
スケジュール情報は、１日を時分単位で設定した制御時刻と、この時刻における増減（プラス側又はマイナス側）調相量が設定される。このスケジュールの制御には、設定調相量に合った１台または複数台のコンデンサまたはシャントリアクトルが選択され、これらの投入／開放制御が行われる。
【０００４】
上記の調相量のスケジュール制御において、遮断器や断路器などの開閉器の故障発生では、何らかの保護対策を用意していない限り、調相制御が不能になる。この対策として、保守員が手動で調相制御する方法があるが、この方法では調相要素（コンデンサ、シャントリアクトル）の台数が多くなるほど、それらの投入／開放のスケジュール決定に大きな作業負担を要する。
【０００５】
他の対策として、投入／開放可能なコンデンサ群またはリアクトル群のバンクをロータリー式に順次選択し、選択したバンク内の投入／開放可能なコンデンサまたはリアクトルを順次選択することで、調相の自動化と調相設備の寿命を延ばす方法がある（例えば、特許文献１参照）。
【特許文献１】特開平９−７４６８０号公報
【発明の開示】
【発明が解決しようとする課題】
【０００６】
母線に接続された調相要素を、調相毎に予め設定された投入時刻および開放時刻に従って調相要素を投入／開放のスケジュール制御を行う場合、調相の投入容量をあるレベルに一時的に揃える必要が発生した場合には調相制御装置のスケジュール制御機能をロックし、現在母線に接続されている調相の投入量と個々の調相容量を考慮して投入あるいは開放すべき調相を決定し、調相を手動操作にて制御しなければならない。
【０００７】
また、元のスケジュール制御に復帰させる場合においても現在時刻のスケジュールと一致するように投入あるいは開放すべき調相を手動操作にて制御した後、調相制御装置のスケジュール制御機能ロックを解除することになり、作業者の負担が大きい。
【０００８】
特に、図２１のように、複数の調相が同一の母線側ＣＢの下に調相ＣＢまたは調相ＬＳによって接続されたＣＢとＬＳが混在する系統にあっては、調相ＬＳの投入および開放は母線側ＣＢが開放状態でなければ制御できないので母線側ＣＢの開閉操作を伴い、調相投入制御順は調相ＬＳ投入→母線側ＣＢ投入→調相ＣＢ投入、開放制御順は調相ＣＢ開放→母線側ＣＢ開放→調相ＬＳ開放という制約があり、作業者の負担が大きい。
【０００９】
本発明の目的は、スケジュール制御状態とは異なる任意の調相制御状態への移行に、現在の調相状況に応じた最適な調相要素の組合せと調相量に自動的に制御できる調相設備の調相制御装置を提供することにある。
【課題を解決するための手段】
【００１０】
前記の課題を解決するため、本発明は、以下の調相制御装置を特徴とする。
【００１１】
（１）母線に接続された電力用コンデンサＳＣと分路リアクトルＳｈＲの調相要素を、調相毎に予め設定された投入時刻および開放時刻に従って投入および開放のスケジュール制御を行っている調相制御装置において、
プラス側設定値はＳＣ容量、マイナス側設定値はＳｈＲ容量を表す調相容量を調相ナンバ毎に設定する手段と、
プラス側設定値は母線接続ＳＣ総和容量、マイナス側設定値は母線接続ＳｈＲ総和容量、０は調相全開放を表す母線接続調相総和容量（調相和制御容量）を設定する手段と、
設定された調相和制御容量に合致する調相容量の組合せを調相和制御容量がプラス側設定値であればＳＣ容量階級別に調相ナンバーマスクデータとその投入制御台数で制御情報を表し全ＳＣ容量階級分のデータをもって一つの制御情報グループとした全制御情報グループを、また調相和制御容量がマイナス側設定値であればＳｈＲ容量階級別に調相ナンバマスクデータとその投入制御台数で制御情報を表し全ＳｈＲ容量階級分のデータをもって一つの制御情報グループとした全制御情報グループを予め検出しておく手段と、
複数の調相が同一併用母線の下に調相ＣＢおよび調相ＬＳによって接続される系統にあって全ての調相要素を自動制御対象とする場合に、調相和制御容量制御の実行指令により母線接続調相総和容量現在値と調相和制御指令容量を比較して差異がある場合にＳＣ投入側制御またはＳＣ開放側制御またはＳｈＲ投入側制御またはＳｈＲ開放側制御を検出し、調相和制御容量制御使用可グループナンバが複数ある場合は前回制御グループナンバを優先し、前回制御グループナンバが無ければ前回制御ナンバから次順位のグループナンバ（最下位順位ナンバの次は最上位順位ナンバ）に順次移行して調相和制御容量制御グループナンバを一つ選定する処理を行って、全制御情報グループの中から現在の調相接続状況に応じた最適な組合せと調相を自動選択する手段と、
を備えたことを特徴とする。
【００１２】
（２）母線に接続された電力用コンデンサＳＣと分路リアクトルＳｈＲの調相要素を、調相毎に予め設定された投入時刻および開放時刻に従って投入および開放のスケジュール制御を行っている調相制御装置において、
プラス側設定値はＳＣ容量、マイナス側設定値はＳｈＲ容量を表す調相容量を調相ナンバー毎に設定する手段と、
プラス側設定値は母線接続ＳＣ総和容量、マイナス側設定値は母線接続ＳｈＲ総和容量、０は調相全開放を表す母線接続調相総和容量（調相和制御容量）を設定する手段と、
設定された調相和制御容量に合致する調相容量の組合せを調相和制御容量がプラス側設定値であればＳＣ容量階級別に調相ナンバマスクデータとその投入制御台数で制御情報を表し全ＳＣ容量階級分のデータをもって一つの制御情報グループとした全制御情報グループを、また調相和制御容量がマイナス側設定値であればＳｈＲ容量階級別に調相ナンバーマスクデータとその投入制御台数で制御情報を表し全ＳｈＲ容量階級分のデータをもって一つの制御情報グループとした全制御情報グループを予め検出しておく手段と、
複数の調相が同一母線側ＣＢの下に調相ＣＢまたは調相ＬＳによって接続されＣＢとＬＳが混在する系統にあって全ての調相要素を自動制御対象とする場合に、調相投入操作はＬＳ側調相を優先（ＣＢ側調相は非優先でＬＳ側調相が入りとなった後に非優先は解除）して投入する投入優先制御対象調相と、開放操作ではＣＢ側調相を優先（ＬＳ側調相は非優先でＣＢ側調相が入りとなった後に非優先は解除）して開放する開放優先制御対象調相を判定する手段と、
調相和制御容量制御の実行指令により母線接続調相総和容量現在値と調相和制御指令容量を比較して差異がある場合にＳＣ投入側制御またはＳＣ開放側制御またはＳｈＲ投入側制御またはＳｈＲ開放側制御を検出し、調相和制御容量制御使用可グループナンバが複数ある場合は前回制御グループナンバを優先し、前回制御グループナンバが無ければ前回制御ナンバから次順位のグループナンバ（最下位順位ナンバの次は最上位順位ナンバ）に順次移行して調相和制御容量制御グループナンバを一つ選定する処理を行って、全制御情報グループの中から現在の調相接続状況に応じた最適な組合せと調相を自動選択する手段と、
を備えたことを特徴とする。
【００１３】
（３）スケジュール制御への復帰には、スケジュール制御の実行指令により母線接続調相現在状況と予め設定されている調相スケジュールを比較して差異がある調相は、スケジュールで開放に組まれている開放調相を先に自動開放し、投入に組まれている投入調相を自動投入の操作を行う手段を備えたことを特徴とする。
【発明の効果】
【００１４】
以上のとおり、本発明によれば、スケジュール制御状態とは異なる任意の調相制御状態への移行に、現在の調相状況に応じた最適な調相要素の組合せと調相量に自動的に制御できる。
【００１５】
また、スケジュール制御への復帰も、スケジュール制御の実行指令により母線接続調相現在状況と予め設定されている調相スケジュールを比較して差異がある調相は、スケジュールで開放に組まれている開放調相を先に自動開放し、投入に組まれている投入調相を自動投入の操作を行うことにより、一時的に調相の投入容量をあるレベルに揃える必要が発生した場合であっても調相要素の使用頻度差による寿命のバラツキは発生することが無く、また人的作業省力化による作業ミスや負担が軽減される。
【発明を実施するための最良の形態】
【００１６】
（実施形態１）
図１は、本実施形態を示す調相制御装置の構成図であり、各部はコンピュータ資源と、これを利用したソフトウェアで構成される。以下、図２０の調相機器構成例における調相制御を説明する。
【００１７】
パネル設定部１００は、調相容量設定機能１０１と調相和制御容量設定機能１０２とを備える。調相容量設定機能１０１は、調相対象母線に設備される調相要素を、プラス側設定値は電力用コンデンサ（ＳＣ）容量、マイナス側設定値はシャントリアクトル（ＳｈＲ）容量とした調相容量を調相ナンバ毎に設定可能にする。例えば、図２０の調相機器構成では、調相ナンバ１〜６は図２の（ａ）に示すように設定される。
【００１８】
調相和制御容量設定機能１０２は、各調相ナンバがもつプラス側調相容量とマイナス側調相容量別にした組み合わせから、プラス側設定値は母線接続ＳＣ総和容量、マイナス側設定値は母線接続ＳｈＲ総和容量、０は調相全開放を表す母線接続調相総和容量（調相和制御容量）の自動設定を行う。例えば、図２０の調相機器構成で、図２の（ａ）に示す調相容量をもつ場合、図２の（ｂ）に示す調相和制御ナンバ１〜９の容量を自動設定し、調相和制御１容量では図２の（ａ）における調相２容量と５容量および６容量の総和容量８０Ｍｖａｒになる。
【００１９】
上記の調相和制御容量の組み合わせは、調相和制御容量がプラス側設定値であればＳＣ容量階級別に調相ナンバマスクデータとその投入制御台数で制御情報を表し、調相和制御容量がマイナス側設定値であればＳｈＲ容量階級別に調相ナンバマスクデータとその投入制御台数で制御情報を表す。例えば、図２の（ａ）に示す調相容量設定において、プラス側設定値はＳＣ、マイナス側設定値はＳｈＲであるので、図２の（ｃ）に示すように、ＳＣ設定マスクデータ＝０ｘ００３２、ＳｈＲ設定マスクデータ＝０ｘ０００ｄとなる。また、容量階級は、図２の（ｄ），（ｅ）に示すように、投入台数とマスクデータによって個々に自動設定される。
【００２０】
次に、図１の調相制御部２００は、調相組み合わせ検出機能２０１と、調相制御機能２０２とを備える。調相組み合わせ検出機能２０１は、調相和制御容量設定機能１０２で自動設定した全ＳＣ容量階級分のデータをもって一つの制御情報グループとした全制御情報グループおよび全ＳｈＲ容量階級分のデータをもって一つの制御情報グループとした全制御情報グループを調相の全組み合わせとして予め検出しておく。例えば、図２の調相和制御ナンバ容量から、ＳＣ和制御では図３に示す８０、６０、４０、２０ＭＶａｒの組合せ、ＳｈＲ和制御では図４に示す−２０、−３０、−４０、−７０ＭＶａｒの組合せがあり、０ＭＶａｒは図５に示す全解放（投入なし）になる。
【００２１】
調相制御機能２０２は、調相和制御指令が与えられたときに、母線接続調相総和容量の現在値と調相和制御指令容量を比較して差異がある場合にＳＣ投入側制御またはＳＣ開放側制御またはＳｈＲ投入側制御またはＳｈＲ開放側制御を判定し、全制御情報グループの中から現在の調相接続状態に応じた最適な組合せを選定し、調相投入または開放を決定する。
【００２２】
上記の判定における母線接続調相総和容量の現在値は、ディジタル入力部３００を介して系統母線監視用コンピュータから得る系統に現在接続されている調相要素接続状態から算定する。また、調相和制御指令容量はディジタル入力部３００を介して系統母線監視制御用ホストコンピュータ等から与えられる。全制御情報グループの中から現在の調相接続状態に応じた最適な組合せの選定による調相投入制御出力または開放制御出力はディジタルタ出力部４００を介して調相ＣＢや調相ＬＳの投入／開放制御機器に伝送される。
【００２３】
図６および図７は、調相制御機能２０２による母線接続調相総和容量の現在値と調相和制御指令容量との差異を基にしたＳＣ投入側制御またはＳＣ開放側制御またはＳｈＲ投入側制御またはＳｈＲ開放側制御の判定処理フローを示す。
【００２４】
調相制御機能２０２は、ディジタル入力部３００からの調相要素接続状態から現在容量を算出、現在ＳＣ投入台数を算出および現在ＳｈＲ投入台数を算出する（Ｓ１〜Ｓ３）。
【００２５】
次に、調相和制御指令が入力されたとき（Ｓ４）、その調相和制御指令容量を目標とする和制御容量とし（Ｓ５）、この和制御容量が現在容量と一致するか否かをチェックし（Ｓ６）、一致する場合は調相選択ナンバ解除して調相制御解除を行い、調相制御を終了する（Ｓ７）。
【００２６】
和制御容量と現在容量とが一致せず、かつ和制御容量が０のとき（Ｓ８）、調相要素の現在接続状態がＳＣのみであれば全ＳＣ開放制御を行い（Ｓ９、Ｓ１０）、ＳｈＲのみであれば全ＳｈＲ開放制御を行い（Ｓ１１、Ｓ１２）、ＳＣとＳｈＲが接続されていれば全調相要素開放制御を行う（Ｓ１３、Ｓ１４）。
【００２７】
図７では、和制御容量と現在容量とが一致せず、かつ和制御容量が０より大きい、つまり和制御容量がプラス側になるとき（Ｓ１５）、ＳＣ接続容量が和制御容量よりも大きければＳＣ開放を制御要求とし（Ｓ１６，Ｓ１７）、大きくなければＳＣ投入を制御要求とし（Ｓ１８）、ＳＣを和制御調相として制御する（Ｓ１９）。逆に、和制御容量がマイナス側になるとき（Ｓ１５）、ＳｈＲ接続容量が和制御容量よりも大きければＳｈＲ投入を制御要求とし（Ｓ２０，Ｓ２１）、大きくなければＳｈＲ開放を制御要求とし（Ｓ２２）、ＳｈＲを和制御調相として制御する（Ｓ２３）。
【００２８】
図６および図７における処理Ｓ１、Ｓ２、Ｓ３、Ｓ１０、Ｓ１２、Ｓ１４、Ｓ１９、Ｓ２３の具体的な処理を以下に項分けして説明する。
【００２９】
（Ｓ１）現在容量算出
図８に示すように、調相ナンバｎ、調相ビットｍ、現在容量、ＳＣ接続、ＳｈＲ接続などの変数を初期化し（Ｓ１０１）、調相ナンバｎのＣＢが「入り（投入）」か否かをチェックし（Ｓ１０２）、「入り」でなければ次の調相ナンバｎについてチェックに入り（Ｓ１０８）、「入り」のときは調相ナンバｎの容量を現在容量に加算して現在容量とし（Ｓ１０３）、調相ナンバｎの容量がプラス側かマイナス側かをチェックし（Ｓ１０４）、プラス側の場合は当該容量がもつ調相ビットｍのＳＣとの論理和（記号｜で示す）したものをＳＣ接続として現在容量を加算し（Ｓ１０５）、マイナス側の場合は当該当該容量がもつ調相ビットｍのＳｈＲとの論理和したものをＳｈＲ接続として現在容量を加算する（Ｓ１０６）。これら処理の後、調相ナンバｎおよび調相ビットｍをインクリメントし（Ｓ１０７）、調相ビットｎが最終調相ナンバでないときは次の調相ナンバについて現在容量を算出していく。
【００３０】
（Ｓ２）現在ＳＣ投入台数算出
図９に示すように、容量階級ナンバｎ＝１と初期化し（Ｓ１１１）、ＳＣ容量階級ナンバｎのマスクデータとＳＣ接続との論理積（＆）で現在の選択ナンバＸとすると共に、ＳＣ容量階級ナンバｎの投入台数＝０としておき（Ｓ１１２）、Ｘが０でなければ（Ｓ１１３）、マスクデータの調相ビットＱ＝０を設定し（Ｓ１１４）、調相ビットＱの論理値とＸとの論理積演算結果が「０」でなければ（Ｓ１１５）、ＳＣ容量階級ナンバｎの投入台数をインクリメントする（Ｓ１１６）。
【００３１】
これら処理で調相ビットＱをインクリメントし（Ｓ１１７）、Ｑが最終調相ビットでなければ当該ＱビットについてＳＣ容量階級ナンバｎの投入台数をインクリメントする繰り返しを行う（Ｓ１１８）。
【００３２】
調相ビットＱについての処理を終えた後、容量階級ナンバｎを次のものにし、それが最終ＳＣ容量階級でないときには変数Ｘについて同様の処理を繰り返す（Ｓ１１９、Ｓ１２０）。
【００３３】
（Ｓ３）現在ＳｈＲ投入台数算出
この算出は、図９におけるＳＣ投入台数算出での対象調相要素をＳｈＲと読み替えたものと同様の処理になり、図１０にＳ１２１〜Ｓ１３０で示して、その説明を省略する。
【００３４】
（Ｓ１０）全ＳＣ開放
図１１に示すように、容量階級ナンバｎ＝１と初期化し（Ｓ１３１）、ＳＣ容量階級ナンバｎのマスクデータとＳＣ接続との論理積（＆）でマスクデータＸを特定し（Ｓ１３２）、ＳＣ容量階級ナンバｎの投入台数が０台でないとき（Ｓ１３３）、次回ＳＣ容量階級ナンバｎのマスクデータの選択ビットＹを設定すると共にビットｑ＝０と設定し（Ｓ１３４）、選択ビットＹが最終調相ビットであれば投入ビットＹ＝０と設定する（Ｓ１３５、Ｓ１３６）。
【００３５】
この後、投入ビットＹとマスクデータの値Ｘの論理積（＆）が「０」でなければ（Ｓ１３７）、調相選択ナンバを選択ビットＹとすると共に当該ビットの調相制御を開放にする（Ｓ１３８）。投入ビットＹとマスクデータの値Ｘの論理積（＆）が「０」の場合は選択ビットＹとビットｑをそれぞれインクリメントし（Ｓ１３９）、ｑが最終調相ビットになるまでは選択ナンバＹの抽出とその調相を開放にしていく（Ｓ１４０）。さらに、次回のＳＣ容量階級ナンバｎに進めてそれが採集ＳＣ容量階級になるまで選択ナンバＹの抽出を繰り返し（Ｓ１４１、Ｓ１４２）、最終ＳＣ容量階級になったときに調相選択ナンバ解除と調相制御解除を行う（Ｓ１４３）。
【００３６】
（Ｓ１２）全ＳｈＲ開放
この処理は、図１１における全ＳＣ開放での対象調相要素をＳｈＲと読み替えたものと同様の処理になり、図１２にＳ１５１〜Ｓ１６３で示して、その説明を省略する。
【００３７】
（Ｓ１４）全調相開放
この処理は、図１１に示す全ＳＣ開放と、図１２に示す全ＳｈＲ開放を続けて実行するもので、図１３では図１１のＳ１３８を省いた他は同じ処理になり、図１４では図１２と同じ処理になり、その説明を省略する。
【００３８】
（Ｓ１９、Ｓ２３）調相和制御
図１５は、ＳＣまたはＳｈＲの投入か開放のどちらか一方向操作のみで制御を終了するグループを検出（チェック）する処理フローである。容量階級ナンバｎ＝１、グループナンバｍ＝１、一方向制御グループ数＝０と初期設定し（Ｓ１７１）、和制御調相操作量＝０に設定し（Ｓ１７２）、和制御容量グループｍの和制御調相容量階級ナンバｎの設定台数Ｘ、および和制御調相容量階級ナンバｎの現在投入台数Ｙを求め（Ｓ１７３）、Ｘ＝Ｙであれば次のグループナンバｍについての検出に移る（Ｓ１７４）。
【００３９】
Ｘ＝Ｙでない場合、ＹとＸの大小を比較し（Ｓ１７５）、Ｙ＞Ｘであれば和制御調相操作は開放側に設定し（Ｓ１７６）、そうでなければ和制御調相操作は投入側に設定し（Ｓ１７７）、容量階級ナンバｎをインクリメントし、それば最終階級ナンバでなければ次のナンバｎについての操作方向を設定する（Ｓ１７８、Ｓ１７９）。
【００４０】
ｎが最終階級ナンバに達したとき、和制御調相操作が制御要求に一致したか否かをチェックし（Ｓ１８０）、一致すれば一方向制御グループを当該グループナンバｍの１つ前のグループとし（Ｓ１８１）、次のグループナンバｍについて最終グループナンバまでグループ検出を繰り返す（Ｓ１８２、Ｓ１８３）。
【００４１】
図１６は、ＳＣまたはＳｈＲの投入と開放の双方向操作で制御を終了するグループを検出（チェック）する処理フローである。この処理が図１５と異なる部分は、図１５の和制御調相操作の判定を制御要求とする（Ｓ１８０）に代えて、投入と開放で一致するか否かをチェックし（Ｓ２００）、一致する場合に双方向制御グループとして検出する（Ｓ２０２）。
【００４２】
図１７は、一方向制御または双方向制御の調相和制御容量グループナンバを選定する処理フローである。グループナンバｍ＝１、制御グループナンバＸ＝０に初期設定し（Ｓ２１１）、一方向制御グループ数が０か否かをチェックし（Ｓ２１２）、グループ数が０であれば制御グループナンバＸを双方向制御グループと選定し（Ｓ２１３）、０でなければ制御グループナンバＸを一方向制御グループと選定する（Ｓ２１４）。
【００４３】
次に、和制御容量グループナンバＹを前回制御グループナンバに設定し（Ｓ２１５）、その１つ前のグループと制御グループナンバＸとが一致する場合には前回制御グループナンバＹと制御グループナンバｍをインクリメントし（Ｓ２１６、Ｓ２１７）、前回制御グループナンバＹが最終制御グループナンバよりも大きいときにＹ＝１とし（Ｓ２１８、Ｓ２１９）、グループナンバｍが最終グループナンバに達するまでは制御グループナンバＸの選定を繰り返し（Ｓ２２０）、最終的には和制御容量グループナンバＹを選定する（Ｓ２２１）。
【００４４】
図１８は、和制御容量指令がプラスのときは全ＳｈＲ開放を先に行い、マイナスのときは全ＳＣ開放を先に行う処理フローである。容量階級ナンバｎ＝１に初期設定し、全切調相容量階級ナンバｎのマスクデータで全切調相接続のものをＸとし（Ｓ２３２）、全切調相容量階級ナンバｎの投入台数が０でないとき（Ｓ２３３）、次回全切調相容量階級ナンバｎの投入ビットをＹ，現在ビットをｑと設定し（Ｓ２３４）、Ｙが最終調相ビットを超えていればＹ＝０とし（Ｓ２３５、Ｓ２３６）、マスタデータＸの投入ビットＹが０のときはＹとｑをそれぞれインクリメントし（Ｓ２３７、Ｓ２３８）、ｑが最終調相ビットになるまで繰り返し（Ｓ２３９）、ｑが最終調相ビットを超えたときに容量階級ナンバｎをインクリメントし（Ｓ２４０）、ｎが最終全切調相容量階級を超えるまで繰り返す（Ｓ２４１）。Ｓ２３７でＸとＹが共に論理「１」のとき、調相先端ナンバ＝Ｙ、調相制御＝開放と設定して１つの処理を終了する（Ｓ２４２）。
【００４５】
図１９は、選定されたグループナンバにより調相の投入／開放を制御する処理フローである。容量階級ナンバｎ＝１と設定し（Ｓ２５１）、Ｘは和制御調相容量階級ナンバｎのマスクデータが和制御調相接続にあるもの、Ｙは和制御調相接続でないもの、Ｄ１は和制御調相容量階級ナンバｎの投入台数、Ｄ２は和制御容量グループ調相容量階級ナンバｎの設定台数とし（Ｓ２５２）、Ｄ１＝Ｄ２でないとき（Ｓ２５３）、Ｚは次回和制御調相容量階級ビットｎの投入ビット、ｑ＝０とし（Ｓ２５４）、Ｄ１＞Ｄ２か否かをチェックする（Ｓ２５５）。
【００４６】
Ｄ１＞Ｄ２でないとき、Ｚが最終調相ビットを超えたときはＺ＝０に設定し（Ｓ２５６、Ｓ２５７）、マスクデータＹのＺビットが０のときはＺとｑをインクリメントし（Ｓ２５８、Ｓ２５９）、ｑが最終調相ビットよりも大きいときはｎをインクリメントし（Ｓ２６０、Ｓ２６１）、ｎが最終和制御調相容量階級ナンバを超えたときに調相選択ナンバ解除と調相制御を解除して処理を終了する（Ｓ２６２、Ｓ２６３）。
【００４７】
Ｓ２５８のチェックでマスクデータＹのＺビットが０でないとき、調相選択ナンバ＝Ｚ、調相制御を投入に設定し（Ｓ２６４）、次回和制御調相容量階級ナンバｎの投入ビットをＺ＋１に設定して処理を終了する（Ｓ２６５）。
【００４８】
Ｓ２５５のチェックでＤ１＞Ｄ２のとき、Ｚが最終調相ビットを超えたときはＺ＝０に設定し（Ｓ２６６、Ｓ２６７）、マスクデータＸのＺビットが０のときはＺとｑをインクリメントし（Ｓ２６８、Ｓ２６９）、ｑが最終調相ビットよりも大きいときはｎをインクリメントし（Ｓ２７０、Ｓ２７１）、ｎが最終和制御調相容量階級ナンバを超えたときに調相選択ナンバ解除と調相制御を解除して処理を終了する（Ｓ２６２、Ｓ２６３）。
【００４９】
Ｓ２６８のチェックでマスクデータＸのＺビットが０でないとき、調相選択ナンバ＝Ｚ、調相制御を開放に設定して処理を終了する（Ｓ２７２）。
【００５０】
（まとめ）
以上のように、本実施形態では、調相設備による調相制御装置において、プラス側設定値はＳＣ容量、マイナス側設定値はＳｈＲ容量を表す調相容量を調相ナンバ毎に設定する機能と、プラス側設定値は母線接続ＳＣ総和容量、マイナス側設定値は母線接続ＳｈＲ総和容量、０は調相全開放を表す母線接続調相総和容量（調相和制御容量）を設定する機能を備え、設定された調相和制御容量に合致する調相容量の組合せを調相和制御容量がプラス側設定値であればＳＣ容量階級別に調相ナンバマスクデータとその投入制御台数で制御情報を表し全ＳＣ容量階級分のデータをもって一つの制御情報グループとした全制御情報グループを、また調相和制御容量がマイナス側設定値であればＳｈＲ容量階級別に調相ナンバマスクデータとその投入制御台数で制御情報を表し全ＳｈＲ容量階級分のデータをもって一つの制御情報グループとした全制御情報グループを予め検出しておき、全制御情報グループの中から現在の調相接続状況に応じた最適な組合せを以下のように抽出し、調相和制御を行う。
【００５１】
（Ａ）ＳＣ投入側制御（ＳＣ投入容量増）における最適な制御情報グループの選定
ＳＣ制御情報グループＧの各容量階級別の調相ナンバマスクデータに対応したＳＣの現在投入台数と投入制御台数を比較し、一致または現在投入台数の方が少なくかつ同容量階級に投入制御可能調相台数が必要台数以上あれば同グループ内の次順位の容量階級チェックへと進み、最終容量階級まで同様であればグループＧを調相和制御容量制御データ使用可とし、投入台数比較で現在投入台数の方が多いまたは現在投入台数の方が少ないが同容量階級に投入制御可能調相台数が不足している場合は次順位のＳＣ制御情報グループチェックへと移って同様のチェックを最終制御情報グループまで行う制御情報（制御可能調相の一方向制御）グループチェックと、
ＳＣ制御情報グループＧの各容量階級別の調相ナンバマスクデータに対応したＳＣの現在投入台数と投入制御台数を比較し、一致または現在投入台数の方が少なくかつ同容量階級に投入制御可能調相台数が必要台数以上あるかまたは現在投入台数の方が多くかつ同容量階級に開放制御可能調相台数が必要台数以上あれば同グループ内の次順位の容量階級チェックへと進み、最終容量階級まで同様であればグループＧを調相和制御容量制御データ使用可とし、投入台数比較で現在投入台数の方が少ないが同容量階級に投入制御可能調相台数が不足しているまたは現在投入台数の方が多いが同容量階級に開放制御可能調相台数が不足している場合は次順位のＳＣ制御情報グループチェックへと移って同様のチェックを最終制御情報グループまで行う制御情報（制御可能調相の双方向制御）グループチェックをもち、
制御可能調相の一方向制御、制御可能調相の双方向制御の優先順で得る調相和制御容量制御データ使用可グループを最適な制御情報の組合せとし、さらにこの中の調相和制御容量制御使用可グループナンバが複数ある場合は前回制御グループナンバを優先し、前回制御グループナンバが無ければ前回制御ナンバから次順位のグループナンバ（最下位順位ナンバの次は最上位順位ナンバ）に順次移行して調相和制御容量制御グループナンバを一つ選定する。
【００５２】
（Ｂ）ＳＣ開放側制御（ＳＣ投入容量減）における最適な制御情報グループの選定
ＳＣ制御情報グループＧの各容量階級別の調相ナンバマスクデータに対応したＳＣの現在投入台数と投入制御台数を比較し、一致または現在投入台数の方が多くかつ同容量階級に開放制御可能調相台数が必要台数以上あれば同グループ内の次順位の容量階級チェックへと進み、最終容量階級まで同様であればグループＧを調相和制御容量制御データ使用可とし、投入台数比較で現在投入台数の方が少ないまたは現在投入台数の方が多いが同容量階級に開放制御可能調相台数が不足している場合は次順位のＳＣ制御情報グループチェックへと移って同様のチェックを最終制御情報グループまで行う制御情報（制御可能調相の一方向制御）グループチェックと、
ＳＣ制御情報グループＧの各容量階級別の調相ナンバマスクデータに対応したＳＣの現在投入台数と投入制御台数を比較し、一致または現在投入台数の方が多くかつ同容量階級に開放制御可能調相台数が必要台数以上あるかまたは現在投入台数の方が少なくかつ同容量階級に投入制御可能調相台数が必要台数以上あれば同グループ内の次順位の容量階級チェックへと進み、最終容量階級まで同様であればグループＧを調相和制御容量制御データ使用可とし、投入台数比較で現在投入台数の方が多いが同容量階級に開放制御可能調相台数が不足しているまたは現在投入台数の方が少ないが同容量階級に投入制御可能調相台数が不足している場合は次順位のＳＣ制御情報グループチェックへと移って同様のチェックを最終制御情報グループまで行う制御情報（制御可能調相の双方向制御）グループチェックをもち、
制御可能調相の一方向制御、制御可能調相の双方向制御の優先順で得る調相和制御容量制御データ使用可グループを最適な制御情報の組合せとし、さらにこの中の調相和制御容量制御使用可グループナンバが複数ある場合は前回制御グループナンバを優先し、前回制御グループナンバが無ければ前回制御ナンバから次順位のグループナンバ（最下位順位ナンバの次は最上位順位ナンバ）に順次移行して調相和制御容量制御グループナンバを一つ選定する。
【００５３】
（Ｃ）ＳｈＲ投入側制御（ＳｈＲ投入容量増）における最適な制御情報グループの選定
ＳｈＲ制御情報グループＧの各容量階級別の調相ナンバマスクデータに対応したＳｈＲの現在投入台数と投入制御台数を比較し、一致または現在投入台数の方が少なくかつ同容量階級に投入制御可能調相台数が必要台数以上あれば同グループ内の次順位の容量階級チェックへと進み、最終容量階級まで同様であればグループＧを調相和制御容量制御データ使用可とし、投入台数比較で現在投入台数の方が多いまたは現在投入台数の方が少ないが同容量階級に投入制御可能調相台数が不足している場合は次順位のＳｈＲ制御情報グループチェックへと移って同様のチェックを最終制御情報グループまで行う制御情報（制御可能調相の一方向制御）グループチェックと、
ＳｈＲ制御情報グループＧの各容量階級別の調相ナンバマスクデータに対応したＳｈＲの現在投入台数と投入制御台数を比較し一致または現在投入台数の方が少なくかつ同容量階級に投入制御可能調相台数が必要台数以上あるかまたは現在投入台数の方が多くかつ同容量階級に開放制御可能調相台数が必要台数以上あれば同グループ内の次順位の容量階級チェックへと進み、最終容量階級まで同様であればグループＧを調相和制御容量制御データ使用可とし、投入台数比較で現在投入台数の方が少ないが同容量階級に投入制御可能調相台数が不足しているまたは現在投入台数の方が多いが同容量階級に開放制御可能調相台数が不足している場合は次順位のＳｈＲ制御情報グループチェックへと移って同様のチェックを最終制御情報グループまで行う制御情報（制御可能調相の双方向制御）グループチェックをもち、
制御可能調相の一方向制御、制御可能調相の双方向制御の優先順で得る調相和制御容量制御データ使用可グループを最適な制御情報の組合せとし、さらにこの中の調相和制御容量制御使用可グループナンバが複数ある場合は前回制御グループナンバを優先し、前回制御グループナンバが無ければ前回制御ナンバから次順位のグループナンバ（最下位順位ナンバの次は最上位順位ナンバ）に順次移行して調相和制御容量制御グループナンバを一つ選定する。
【００５４】
（Ｄ）ＳｈＲ開放側制御（ＳｈＲ投入容量減）における最適な制御情報グループの選定
ＳｈＲ制御情報グループＧの各容量階級別の調相ナンバマスクデータに対応したＳｈＲの現在投入台数と投入制御台数を比較し、一致または現在投入台数の方が多くかつ同容量階級に開放制御可能調相台数が必要台数以上あれば同グループ内の次順位の容量階級チェックへと進み、最終容量階級まで同様であればグループＧを調相和制御容量制御データ使用可とし、投入台数比較で現在投入台数の方が少ないまたは現在投入台数の方が多いが同容量階級に開放制御可能調相台数が不足している場合は次順位のＳｈＲ制御情報グループチェックへと移って同様のチェックを最終制御情報グループまで行う制御情報（制御可能調相の一方向制御）グループチェックと、
ＳｈＲ制御情報グループＧの各容量階級別の調相ナンバマスクデータに対応したＳｈＲの現在投入台数と投入制御台数を比較し、一致または現在投入台数の方が多くかつ同容量階級に開放制御可能調相台数が必要台数以上あるかまたは現在投入台数の方が少なくかつ同容量階級に投入制御可能調相台数が必要台数以上あれば同グループ内の次順位の容量階級チェックへと進み、最終容量階級まで同様であればグループＧを調相和制御容量制御データ使用可とし、投入台数比較で現在投入台数の方が多いが同容量階級に開放制御可能調相台数が不足しているまたは現在投入台数の方が少ないが同容量階級に投入制御可能調相台数が不足している場合は次順位のＳｈＲ制御情報グループチェックへと移って同様のチェックを最終制御情報グループまで行う制御情報（制御可能調相の双方向制御）グループチェックをもち、
制御可能調相の一方向制御、制御可能調相の双方向制御の優先順で得る調相和制御容量制御データ使用可グループを最適な制御情報の組合せとし、さらにこの中の調相和制御容量制御使用可グループナンバが複数ある場合は前回制御グループナンバを優先し、前回制御グループナンバが無ければ前回制御ナンバから次順位のグループナンバ（最下位順位ナンバの次は最上位順位ナンバ）に順次移行して調相和制御容量制御グループナンバを一つ選定する。
【００５５】
上記のように、本実施形態では、最適な制御情報の組合せを一組選出した後、その制御情報グループの各容量階級別の調相ナンバマスクデータに対応した調相の現在投入台数と投入制御台数を比較し、現在投入台数の方が少なく投入制御可能調相があれば同容量階級の投入調相選択順（前回選択調相ナンバの次順位調相ナンバへと順次移行し、最下位順位調相ナンバの次は最上位順位調相ナンバ）に従って投入制御可能調相の中から投入調相を選択して投入操作し、現在投入台数の方が多く開放制御可能調相があれば同容量階級の開放調相選択順に従って開放制御可能調相の中から開放調相を選択して開放操作し、調相和制御容量と母線接続調相総和容量が一致するように自動制御する。
【００５６】
なお、スケジュール制御への復帰は、スケジュール制御の実行指令により母線接続調相現在状況と予め設定されている調相スケジュールを比較して差異がある調相は、スケジュールで開放に組まれている調相を先に開放操作し、スケジュールで投入に組まれている調相を投入操作する。
【００５７】
（実施形態２）
前記の実施形態１では図２０の調相機器構成における調相制御を示すが、本実施形態では図２１のように、複数の調相が同一の母線側ＣＢの下に調相ＣＢまたは調相ＬＳによって接続されたＣＢとＬＳが混在する調相機器構成における調相制御である。以下、各機能を項分けして説明する。
【００５８】
（１）全制御情報グループの検出
このグループ検出は実施形態１と同じになる。母線に接続された調相要素の調相制御装置において、プラス側設定値はＳＣ容量、マイナス側設定値はＳｈＲ容量を表す調相容量を調相ナンバ毎に設定する機能と、プラス側設定値は母線接続ＳＣ総和容量、マイナス側設定値は母線接続ＳｈＲ総和容量、０は調相全開放を表す母線接続調相総和容量（調相和制御容量）を設定する機能を備え、設定された調相和制御容量に合致する調相容量の組合せを調相和制御容量がプラス側設定値であればＳＣ容量階級別に調相ナンバマスクデータとその投入制御台数で制御情報を表し全ＳＣ容量階級分のデータをもって一つの制御情報グループとした全制御情報グループを、また調相和制御容量がマイナス側設定値であればＳｈＲ容量階級別に調相ナンバマスクデータとその投入制御台数で制御情報を表し全ＳｈＲ容量階級分のデータをもって一つの制御情報グループとした全制御情報グループを予め検出しておく。
【００５９】
（２）投入／開放操作対象の優先
複数の調相が同一母線側ＣＢの下に調相ＣＢまたは調相ＬＳによって接続され、ＣＢとＬＳが混在する（図２１）系統にあって、全ての調相要素を自動制御対象とする場合に、調相投入操作はＬＳ側調相を優先（ＣＢ側調相は非優先でＬＳ側調相が入りとなった後に非優先は解除）して投入する投入優先制御対象調相と、開放操作ではＣＢ側調相を優先（ＬＳ側調相は非優先でＣＢ側調相が入りとなった後に非優先は解除）して開放する開放優先制御対象調相の判定する機能を設ける。
【００６０】
（３）調相和制御
調相和制御容量制御の実行指令により母線接続調相総和容量現在値と調相和制御指令容量を比較して差異がある場合にＳＣ投入側制御またはＳＣ開放側制御またはＳｈＲ投入側制御またはＳｈＲ開放側制御を検出し、全制御情報グループの中から現在の調相接続状況に応じた最適な組合せを次のように抽出し優先制御調相から制御を行う。
【００６１】
ＳＣ投入側制御（ＳＣ投入容量増）における最適な制御情報グループの選定は、ＳＣ制御情報グループＧの各容量階級別の調相ナンバマスクデータに対応したＳＣの現在投入台数と投入制御台数を比較し一致または現在投入台数の方が少なくかつ同容量階級に投入優先制御可能調相台数が必要台数以上あれば同グループ内の次順位の容量階級チェックへと進み最終容量階級まで同様であればグループＧを調相和制御容量制御データ使用可とし、投入台数比較で現在投入台数の方が多いまたは現在投入台数の方が少ないが同容量階級に投入優先制御可能調相台数が不足している場合は次順位のＳＣ制御情報グループチェックへと移って同様のチェックを最終制御情報グループまで行う制御情報（優先制御可能調相の一方向制御）グル一プチェックと、
ＳＣ制御情報グループＧの各容量階級別の調相ナンバマスクデータに対応したＳＣの現在投入台数と投入制御台数を比較し一致または現在投入台数の方が少なくかつ同容量階級に投入優先制御可能調相台数が必要台数以上あるかまたは現在投入台数の方が多くかつ同容量階級に開放優先制御可能調相台数が必要台数以上あれば同グループ内の次順位の容量階級チェックへと進み最終容量階級まで同様であればグループＧを調相和制御容量制御データ使用可とし、投入台数比較で現在投入台数の方が少ないが同容量階級に投入優先制御可能調相台数が不足しているまたは現在投入台数の方が多いが同容量階級に開放優先制御可能調相台数が不足している場合は次順位のＳＣ制御情報グループチェックへと移って同様のチェックを最終制御情報グループまで行う制御情報（優先制御可能調相の双方向制御）グループチェックと、
ＳＣ制御情報グループＧの各容量階級別の調相ナンバマスクデータに対応したＳＣの現在投入台数と投入制御台数を比較し、一致または現在投入台数の方が少なくかつ同容量階級に投入制御可能調相台数が必要台数以上あれば同グループ内の次順位の容量階級チェックへと進み、最終容量階級まで同様であればグループＧを調相和制御容量制御データ使用可とし、投入台数比較で現在投入台数の方が多いまたは現在投入台数の方が少ないが同容量階級に投入制御可能調相台数が不足している場合は次順位のＳＣ制御情報グループチェックへと移って同様のチェックを最終制御情報グループまで行う制御情報（制御可能調相の一方向制御）グループチェックと、
ＳＣ制御情報グループＧの各容量階級別の調相ナンバマスクデータに対応したＳＣの現在投入台数と投入制御台数を比較し、一致または現在投入台数の方が少なくかつ同容量階級に投入制御可能調相台数が必要台数以上あるかまたは現在投入台数の方が多くかつ同容量階級に開放制御可能調相台数が必要台数以上あれば同グループ内の次順位の容量階級チェックへと進み、最終容量階級まで同様であればグループＧを調相和制御容量制御データ使用可とし、投入台数比較で現在投入台数の方が少ないが同容量階級に投入制御可能調相台数が不足しているまたは現在投入台数の方が多いが同容量階級に開放制御可能調相台数が不足している場合は次順位のＳＣ制御情報グループチェックへと移って同様のチェックを最終制御情報グループまで行う制御情報（制御可能調相の双方向制御）グループチェックをもち、
優先制御可能調相の一方向制御、優先制御可能調相の双方向制御、制御可能調相の一方向制御、制御可能調相の双方向制御の優先順で得る調相和制御容量制御データ使用可グループを最適な制御情報の組合せとし、さらにこの中の調相和制御容量制御使用可グループナンバが複数ある場合は前回制御グループナンバを優先し、前回制御グループナンバが無ければ前回制御ナンバから次順位のグループナンバ（最下位順位ナンバの次は最上位順位ナンバ）に順次移行して調相和制御容量制御グループナンバを一つ選定する。なお、ＳＣ開放側制御（ＳＣ投入容量減）、ＳｈＲ投入側制御（ＳｈＲ投入容量増）、ＳｈＲ開放側制御（ＳｈＲ投入容量減）についても同様に優先制御可能調相をチェックする。
【００６２】
上述のように、本実施形態では、最適な制御情報の組合せを一組選出した後、その制御情報グループの各容量階級別の調相ナンバマスクデータに対応した調相の現在投入台数と投入制御台数を比較し、現在投入台数の方が少なく投入制御可能調相があれば同容量階級の投入調相選択順に従って優先投入制御可能調相の中から投入調相を選択して投入操作し、現在投入台数の方が多く開放制御可能調相があれば同容量階級の優先開放調相選択順に従って開放制御可能調相の中から開放調相を選択して開放操作し、調相和制御容量と母線接続調相総和容量が一致するように自動制御する。
【００６３】
なお、スケジュール制御への復帰は、スケジュール制御の実行指令により母線接続調相現在状況と予め設定されている調相スケジュールを比較して差異がある調相は、スケジュールで開放に組まれている調相の中から優先開放制御可能調相を先に開放操作し、スケジュールで投入に組まれている調相も優先投入制御可能調相から投入操作する。
【図面の簡単な説明】
【００６４】
【図１】本発明の実施形態１を示す調相制御装置の構成図。
【図２】調相容量、調相和制御容量、マスクデータの関係図。
【図３】制御情報グループの例（その１）。
【図４】制御情報グループの例（その２）。
【図５】制御情報グループの例（その３）。
【図６】ＳＣまたはＳｈＲの投入側／開放側制御の判定処理フロー。
【図７】調相和制御の判定処理フロー。
【図８】現在容量算出の処理フロー。
【図９】現在ＳＣ投入台数算出の処理フロー。
【図１０】現在ＳｈＲ投入台数算出の処理フロー。
【図１１】全ＳＣ開放の処理フロー。
【図１２】全ＳｈＲ開放の処理フロー。
【図１３】全調相開放の処理フロー（その１）。
【図１４】全調相開放の処理フロー（その２）。
【図１５】調相和制御の処理フロー（その１）。
【図１６】調相和制御の処理フロー（その２）。
【図１７】調相和制御の処理フロー（その３）。
【図１８】調相和制御の処理フロー（その４）。
【図１９】調相和制御の処理フロー（その５）。
【図２０】調相設備の構成例。
【図２１】調相設備の構成例。
【符号の説明】
【００６５】
１００  パネル設定部
２００  調相制御部
３００  ディジタル入力部
４００  ディジタルタ出力部
【図１】
0005332273.tif 000002
【図２】
0005332273.tif 000003
【図３】
0005332273.tif 000004
【図４】
0005332273.tif 000005
【図５】
0005332273.tif 000006
【図６】
0005332273.tif 000007
【図７】
0005332273.tif 000008
【図８】
0005332273.tif 000009
【図９】
0005332273.tif 000010
【図１０】
0005332273.tif 000011
【図１１】
0005332273.tif 000012
【図１２】
0005332273.tif 000013
【図１３】
0005332273.tif 000014
【図１４】
0005332273.tif 000015
【図１５】
0005332273.tif 000016
【図１６】
0005332273.tif 000017
【図１７】
0005332273.tif 000018
【図１８】
0005332273.tif 000019
【図１９】
0005332273.tif 000020
【図２０】
0005332273.tif 000021
【図２１】
0005332273.tif 000022